(57)【特許請求の範囲】
【請求項１】
もじり耳を形成するもじり耳形成装置を緯入れ始端側と緯入れ末端側とにそれぞれ備えた織機において、
織機の前後方向に支持位置調整可能に前記緯入れ始端側のもじり耳形成装置を支持する第１の支持手段と、
織機の前後方向に支持位置調整可能に前記緯入れ末端側のもじり耳形成装置を支持する第２の支持手段とを備え、
前記緯入れ始端側のもじり耳形成装置と前記緯入れ末端側のもじり耳形成装置とを互いに独立して織機の前後方向の設置位置調整可能とし、
前記第１の支持手段は、織機の織幅方向に沿って配設された第１の支持バーと、織機の前後方向に支持位置調整可能に前記第１の支持バーを支持する第１の支持位置調整手段とを備え、前記第２の支持手段は、織機の織幅方向に沿って配設された第２の支持バーと、織機の前後方向に支持位置調整可能に前記第２の支持バーを支持する第２の支持位置調整手段とを備え、前記緯入れ始端側のもじり耳形成装置は、前記第１の支持バーに織幅方向の取り付け位置調整可能に支持されており、前記緯入れ末端側のもじり耳形成装置は、前記第２の支持バーに織幅方向の取り付け位置調整可能に支持されている織機におけるもじり耳形成装置の支持装置。
【請求項２】
前記もじり耳形成装置は、一対のボビンホルダを公転させ、各ボビンホルダに支持されたボビンから耳糸を引き出しながらもじり耳を形成し、前記緯入れ始端側のもじり耳形成装置における一対のボビンを公転させる公転機構は、織幅方向に配設された第１の駆動軸から駆動力を得ており、前記緯入れ末端側のもじり耳形成装置における一対のボビンを公転させる公転機構は、織幅方向に配設された第２の駆動軸から駆動力を得ており、前記第１の駆動軸は、前記緯入れ始端側のもじり耳形成装置と共に織機の前後方向に支持位置調整可能に前記第１の支持手段に支持されており、前記第２の駆動軸は、前記緯入れ末端側のもじり耳形成装置と共に織機の前後方向に支持位置調整可能に前記第２の支持手段に支持されている請求項１に記載の織機におけるもじり耳形成装置の支持装置。
【請求項３】
前記第１の支持位置調整手段は、織機の左右の第１のサイドフレームと第２のサイドフレームとに架設された補強バーに取り付けられた第１の基台と、前記第１の支持バーに止着された第１の支持ブラケットと、前記第１の基台に対して織機の前後方向に取り付け位置調整可能に前記第１の支持ブラケットを止着する第１の止着手段と、織機の前後方向に沿って前記第１のサイドフレームに止着された第１の支持レールと、前記第１の支持レールに対して織機の前後方向に取り付け位置調整可能に前記第１の支持バーを止着する第２の止着手段とを備えており、
前記第２の支持位置調整手段は、前記補強バーに取り付けられた第２の基台と、前記第２の支持バーに止着された第２の支持ブラケットと、前記第２の基台に対して織機の前後方向に取り付け位置調整可能に前記第２の支持ブラケットを止着する第３の止着手段と、織機の前後方向に沿って前記第２のサイドフレームに止着された第２の支持レールと、前記第２の支持レールに対して織機の前後方向に取り付け位置調整可能に前記第２の支持バーを止着する第４の止着手段とを備えている請求項１及び請求項２のいずれか１項に記載の織機におけるもじり耳形成装置の支持装置。
【発明の詳細な説明】
【０００１】
【発明の属する技術分野】
本発明は、もじり耳を形成するもじり耳形成装置を緯入れ始端側と緯入れ末端側とにそれぞれ備えた織機におけるもじり耳形成装置の支持装置に関するものである。
【０００２】
【従来の技術】
特開平８−３２５８８１号公報、特開平９−１７０１４２号公報に開示されるもじり耳形成装置では、耳糸を巻いた一対のボビンに遊星運動を行わせて両ボビンから引き出される耳糸をもじらせ、このもじり動作に合わせて緯糸を織り込みながらもじり耳を形成してゆく。このもじり耳形成装置は、織布の織幅方向に沿って配設されたステイ上に支持される。もじり耳形成装置は、織布の織幅の変更に対処可能なようにステイに対して織布の織幅方向に取り付け位置調整可能である。
【０００３】
緯入れされた緯糸を緯入れ末端側で捨耳形成用の耳糸で把持して製織してゆく場合、捨耳形成装置は開口装置の一部である複数枚の綜絖枠のうちの最も後ろの綜絖枠の後ろに配置される。前記複数枚の綜絖枠のうちの最も前の綜絖枠は、経糸の最大開口角をできるだけ大きくするために筬にできるだけ近づけられる。そのため、前記した最前の綜絖枠と筬との間には捨耳形成装置を配置する余地がなく、捨耳形成装置は最も後ろの綜絖枠の後ろに配置される。捨耳形成装置も織布の織幅の変更に対処可能なように織布の織幅方向に設置位置調整可能である。
【０００４】
【発明が解決しようとする課題】
緯入れ始端側と緯入れ末端側とに配置されるもじり耳形成装置は、最も後ろの綜絖枠の後ろに配置されたステイ上に設置される。緯入れ始端側では緯入れ開始された緯糸の緯入れを良好に行なうため、緯入れ始端側のもじり耳形成装置から繰り出される耳糸の最大開口角をできるだけ大きくするのが望ましい。そのため、最も後ろの綜絖枠の後ろに配置されるもじり耳形成装置は、綜絖枠側にできるだけ近づけるのが望ましい。しかし、緯入れ末端側のもじり耳形成装置の織機の前後方向における設置位置は、捨耳形成装置の存在によって規制され、緯入れ末端側のもじり耳形成装置は捨耳形成装置と干渉しない位置までしか綜絖枠側に近づけられない。従って、織機の前後方向におけるステイの配置位置は、緯入れ末端側のもじり耳形成装置の設置位置の制約を受ける。その結果、緯入れ始端側のもじり耳形成装置は、緯入れ末端側のもじり耳形成装置の織機の前後方向における設置位置と同じ設置位置に制約される。即ち、緯入れ始端側のもじり耳形成装置と最の後ろの綜絖枠との間にスペースがあるにも関わらず、緯入れ始端側のもじり耳形成装置を綜絖枠側へ近づけることができない。
【０００５】
本発明は、緯入れ末端側のもじり耳形成装置と綜絖枠との間に捨耳形成装置のような介在物がある場合にも、緯入れ始端側のもじり耳形成装置と綜絖枠との間に余分なスペースが存在しない所まで緯入れ始端側のもじり耳形成装置を綜絖枠側に近づけられるようにすることを目的とする。
【０００６】
【課題を解決するための手段】
そのために本発明は、もじり耳を形成するもじり耳形成装置を緯入れ始端側と緯入れ末端側とにそれぞれ備えた織機を対象とし、請求項１の発明では、織機の前後方向に支持位置調整可能に緯入れ始端側の緯入れ始端側のもじり耳形成装置を支持する第１の支持手段と、織機の前後方向に支持位置調整可能に前記緯入れ末端側の緯入れ末端側のもじり耳形成装置を支持する第２の支持手段とを備えた支持装置を構成し、前記緯入れ始端側の緯入れ始端側のもじり耳形成装置と前記緯入れ末端側の緯入れ末端側のもじり耳形成装置とを互いに独立して織機の前後方向の設置位置調整可能とした。
【０００７】
緯入れ始端側のもじり耳形成装置と緯入れ末端側のもじり耳形成装置とは、織機の前後方向における設置位置に関して互いに制約を受けない。従って、緯入れ末端側のもじり耳形成装置と綜絖枠との間に捨耳形成装置のような介在物がある場合にも、緯入れ始端側のもじり耳形成装置と綜絖枠との間に余分なスペースが存在しない所まで緯入れ始端側のもじり耳形成装置を綜絖枠側に近づけることができる。
また、請求項１の発明では、前記第１の支持手段は、織機の織幅方向に沿って配設された第１の支持バーと、織機の前後方向に支持位置調整可能に前記第１の支持バーを支持する第１の支持位置調整手段とを備え、前記第２の支持手段は、織機の織幅方向に沿って配設された第２の支持バーと、織機の前後方向に支持位置調整可能に前記第２の支持バーを支持する第２の支持位置調整手段とを備え、前記緯入れ始端側のもじり耳形成装置は、前記第１の支持バーに織幅方向の取り付け位置調整可能に支持されており、前記緯入れ末端側のもじり耳形成装置は、前記第２の支持バーに織幅方向の取り付け位置調整可能に支持されているようにした。
第１の支持位置調整手段は、第２の支持位置調整手段とは関係なく第１の支持バーを織機の前後方向に支持位置調整可能に支持する。第２の支持位置調整手段は、第１の支持位置調整手段とは関係なく第２の支持バーを織機の前後方向に支持位置調整可能に支持する。従って、第１の支持バーに支持された緯入れ始端側のもじり耳形成装置と、第２の支持バーに支持された緯入れ末端側のもじり耳形成装置とは、織機の前後方向における設置位置に関して互いに制約を受けない。
【０００８】
請求項２の発明では、請求項１において、前記もじり耳形成装置は、一対のボビンホルダを公転させ、各ボビンホルダに支持されたボビンから耳糸を引き出しながらもじり耳を形成し、前記緯入れ始端側のもじり耳形成装置における一対のボビンを公転させる公転機構は、織幅方向に配設された第１の駆動軸から駆動力を得ており、前記緯入れ末端側のもじり耳形成装置における一対のボビンを公転させる公転機構は、織幅方向に配設された第２の駆動軸から駆動力を得ており、前記第１の駆動軸は、前記緯入れ始端側のもじり耳形成装置と共に織機の前後方向に支持位置調整可能に前記第１の支持手段に支持されており、前記第２の駆動軸は、前記緯入れ末端側のもじり耳形成装置と共に織機の前後方向に支持位置調整可能に前記第２の支持手段に支持されているようにした。
【０００９】
緯入れ始端側のもじり耳形成装置における第１の駆動軸と緯入れ末端側のもじり耳形成装置における第２の駆動軸とは、織機の前後方向における設置位置に関して互いに制約を受けない。
【００１２】
請求項３の発明では、請求項１及び請求項２のいずれか１項において、織機の左右の第１のサイドフレームと第２のサイドフレームとに架設された補強バーに取り付けられた第１の基台と、前記第１の支持バーに止着された第１の支持ブラケットと、前記第１の基台に対して織機の前後方向に取り付け位置調整可能に前記第１の支持ブラケットを止着する第１の止着手段と、織機の前後方向に沿って前記第１のサイドフレームに止着された第１の支持レールと、前記第１の支持レールに対して織機の前後方向に取り付け位置調整可能に前記第１の支持バーを止着する第２の止着手段とを備えた前記第１の支持位置調整手段を構成し、前記補強バーに取り付けられた第２の基台と、前記第２の支持バーに止着された第２の支持ブラケットと、前記第２の基台に対して織機の前後方向に取り付け位置調整可能に前記第２の支持ブラケットを止着する第３の止着手段と、織機の前後方向に沿って前記第２のサイドフレームに止着された第２の支持レールと、前記第２の支持レールに対して織機の前後方向に取り付け位置調整可能に前記第２の支持バーを止着する第４の止着手段とを備えた前記第２の支持位置調整手段を構成した。
【００１３】
第１の支持バーは、第１の支持位置調整手段を介して補強バー及び第１のサイドフレームに支持される。第２の支持バーは、第２の支持位置調整手段を介して補強バー及び第２のサイドフレームに支持される。
【００１４】
【発明の実施の形態】
以下、本発明をジェットルームに具体化した第１の実施の形態を図１〜図５に基づいて説明する。
【００１５】
図１に示すように、織機の左側の第１のサイドフレーム１０と、織機の右側の第２のサイドフレーム１１との間には補強バー１２が架設されている。第１のサイドフレーム１０の内側面の上部には第１の支持レール１３が織機の前後方向に沿って止着されており、第２のサイドフレーム１１の内側面の上部には第２の支持レール１４が織機の前後方向に沿って止着されている。第１の支持レール１３には位置調整用ブラケット１５が支持レール１３の長さ方向に取り付け位置調整可能に嵌合されており、第２の支持レール１４には位置調整用ブラケット１６が支持レール１４の長さ方向に取り付け位置調整可能に嵌合されている。
【００１６】
位置調整用ブラケット１５は、ねじ１７の締め付けによって支持レール１３に止着されており、位置調整用ブラケット１６は、ねじ１８の締め付けによって支持レール１４に止着されている。位置調整用ブラケット１５には第１の支持バー１９が固定されており、位置調整用ブラケット１６には第２の支持バー２０が固定されている。位置調整用ブラケット１５及びねじ１７は第２の止着手段を構成し、位置調整用ブラケット１６及びねじ１８は第４の止着手段を構成する。
【００１７】
第１の支持バー１９は、サイドフレーム１０，１１間の中央付近で第１の支持ブラケット２７及び第１の基台２１を介して補強バー１２に支持されている。第２の支持バー２０は、サイドフレーム１０，１１間の中央付近で第２の支持ブラケット２８及び第２の基台２２を介して補強バー１２に支持されている。基台２１，２２は同形同大である。図２及び図４に示すように、第１の基台２１はねじ２３とナット２４との締め付けによって補強バー１２上に固定されている。図２及び図３に示すように、第２の基台２２はねじ２５とナット２６との締め付けによって補強バー１２上に固定されている。
【００１８】
図４に示すように、第１の支持ブラケット２７は、ねじ２９の締め付けによって支持バー１９に固定されている。支持ブラケット２７には支持位置調整用長孔２７１が形成されており、基台２１には一対のねじ孔２１２，２１３が形成されている。ねじ孔２１２にはねじ８２が支持位置調整用長孔２７１を通って螺合されている。支持位置調整用長孔２７１は織機の前後方向に長く、支持ブラケット２７は基台２１に対して織機の前後方向に取り付け位置調整可能である。ねじ８２、支持位置調整用長孔２７１及びねじ孔２１２，２１３は、第１の基台２１に対して織機の前後方向に取り付け位置調整可能に第１の支持ブラケット２７を止着する第１の止着手段を構成する。第１の止着手段は、第２の止着手段、第１の基台２１、第１の支持ブラケット２７及び第１の支持レール１３と共に第１の支持位置調整手段を構成する。第１の支持位置調整手段は、第１の支持バー１９と共に第１の支持手段を構成する。
【００１９】
支持ブラケット２７には補助ブラケット３１がねじ３２の締め付けによって固定されている。補助ブラケット３１には長孔３１１が形成されており、ねじ３２が長孔３１１を通って支持ブラケット２７に螺着されている。補助ブラケット３１は支持ブラケット２７に対して織機の前後方向に取り付け位置調整可能である。補助ブラケット３１には補助ブラケット３３がねじ３４の締め付けによって固定されている。補助ブラケット３３には長孔３３１が形成されており、ねじ３４が長孔３３１を通って補助ブラケット３１に螺着されている。補助ブラケット３３は補助ブラケット３１に対して上下方向に取り付け位置調整可能である。図５に示すように、補助ブラケット３３は、経糸切断検出装置３５の枠パイプ３５１にねじ３６の締め付けによって固定されている。経糸切断検出装置３５は、経糸Ｔを通されたドロッパ３５２が経糸切れによってコンタクトバー３５３上に落下することによって経糸切れを検出する。補助ブラケット３３，３１、支持ブラケット２７、基台２１及び補強バー１２は一体的に結合されており、織機特有の振動による枠パイプ３５１の振動が抑制される。
【００２０】
図３に示すように、第２の支持ブラケット２８は、ねじ３０の締め付けによって支持バー２０に固定されている。支持ブラケット２８には支持位置調整用長孔２８１が形成されており、基台２２には一対のねじ孔２２２，２２３が形成されている。ねじ孔２２３にはねじ８３が支持位置調整用長孔２８１を通って螺合されている。支持位置調整用長孔２８１は織機の前後方向に長く、支持ブラケット２８は基台２２に対して織機の前後方向に取り付け位置調整可能である。ねじ８３、支持位置調整用長孔２８１及びねじ孔２２２，２２３は、第２の基台２２に対して織機の前後方向に取り付け位置調整可能に第２の支持ブラケット２８を止着する第３の止着手段を構成する。第３の止着手段は、第４の止着手段、第２の基台２２、第２の支持ブラケット２８及び第２の支持レール１４と共に第２の支持位置調整手段を構成する。第２の支持位置調整手段は、第２の支持バー２０と共に第２の支持手段を構成する。
【００２１】
図４に示すように支持バー１９上にはもじり耳形成装置３７が装着されており、図３に示すように支持バー２０上にはもじり耳形成装置３８が装着されている。もじり耳形成装置３７の取り付けブラケット３９は、支持バー１９の長手方向に取り付け位置変更可能に嵌合されており、もじり耳形成装置３８の取り付けブラケット４０は、支持バー２０の長手方向に取り付け位置変更可能に嵌合されている。図１に示すように、取り付けブラケット３９は、ねじ４１の締め付けによって支持バー１９に固定されており、取り付けブラケット４０は、ねじ４２の締め付けによって支持バー２０に固定されている。
【００２２】
取り付けブラケット３９と位置調整用ブラケット１５とには第１の駆動軸４５が回転可能に支持されており、取り付けブラケット４０と位置調整用ブラケット１６とには第２の駆動軸４６が回転可能に支持されている。第１の駆動軸４５には被動歯車４７及び駆動歯車４８が止着されており、第２の駆動軸４６には被動歯車４９及び駆動歯車５０が止着されている。緯入れ始端側の被動歯車４７は、織機駆動モータ（図示略）から駆動力を得るためのもじり用駆動伝達機構５１の中間歯車５２に噛合している。もじり用駆動伝達機構５１は、織機駆動モータに作動連結された駆動力伝達軸５３と、駆動力伝達軸５３に止着された駆動力伝達歯車５４と、駆動力伝達歯車５４に噛合された中間歯車５２とからなる。中間歯車５２はブラケット５５を介して駆動力伝達軸５３に対して回動可能に支持されている。ブラケット５５には位置調整孔５５１が形成されており、位置調整孔５５１に挿通されたねじ５６がサイドフレーム１０に螺着されている。ねじ５６の締め付けによりブラケット５５がサイドフレーム１０に対して固定されている。位置調整孔５５１に対するねじ５６の挿通位置を調整すれば、駆動力伝達軸５３の周りにおける中間歯車５２の配置位置を調整することができる。即ち、駆動軸４５上の被動歯車４７と中間歯車５２との間における織機の前後方向の噛合位置は、駆動力伝達軸５３の周りにおける中間歯車５８の配置位置を調整することによって変更できる。
【００２３】
緯入れ末端側の被動歯車４９は、織機駆動モータから駆動力を得るためのもじり用駆動伝達機構５７の中間歯車５８に噛合している。もじり用駆動伝達機構５７は、織機駆動モータに作動連結された駆動力伝達軸５９と、駆動力伝達軸５９に止着された駆動力伝達歯車６０と、駆動力伝達歯車６０に噛合された中間歯車５８とからなる。中間歯車５８はブラケット６１を介して駆動力伝達軸５９に回動可能に支持されている。ブラケット６１には位置調整孔６１１が形成されており、位置調整孔６１１に挿通されたねじ６２がサイドフレーム１１に螺着されている。ねじ６２の締め付けによりブラケット６１がサイドフレーム１１に対して固定されている。位置調整孔６１１に対するねじ６２の挿通位置を調整すれば、駆動力伝達軸５９の周りにおける中間歯車５８の配置位置を調整することができる。即ち、駆動軸４６上の被動歯車４９と中間歯車５８との間における織機の前後方向の噛合位置は、駆動力伝達軸５９の周りにおける中間歯車５８の配置位置を調整することによって変更できる。
【００２４】
各もじり耳形成装置３７，３８の太陽歯車４３は、取り付けブラケット３９，４０に固定されている。もじり用駆動伝達機構５１，５７、被動歯車４７，４９、駆動軸４５，４６及び駆動歯車４８，５０を介して織機の駆動モータから駆動力を得る支持歯車４４は、織機１回転に対して１／２回転する。太陽歯車４３と共に公転機構を構成する支持歯車４４の前面には一対の中継歯車６３，６４が１８０°の角度差を置いた回転対称位置に回転可能に支持されている。又、支持歯車４４の前面には一対の遊星歯車６５，６６が１８０°の角度差を置いた回転対称位置に回転可能に支持されている。各中継歯車６３，６４は太陽歯車４３及び遊星歯車６５，６６の両方に噛合している。
【００２５】
織機が１回転すると駆動歯車４８，５０が１回転し、駆動歯車４８，５０が１回転すると支持歯車４４が１／２回転する。支持歯車４４が１回転すると、遊星歯車６５，６６が太陽歯車４３に対して支持歯車４４の回転方向とは逆方向へ１回自転する。遊星歯車６５，６６上のボビンホルダ６７，６８に装着されたボビン６９，７０から耳糸６９１，７０１が引き出され、支持歯車４４の回転によって耳糸６９１，７０１がもじられる。図３及び図４に示すように、緯入れ始端側のもじり耳形成装置３７におけるボビンホルダ６７，６８の公転角度位置は、緯入れ末端側のもじり耳形成装置３８におけるボビンホルダ６７，６８の公転角度位置よりも進ませてある。
【００２６】
図２に示すように、もじり耳形成装置３７，３８は、開口装置を構成する複数枚の綜絖枠７１，７１Ａのうちの最後尾の綜絖枠７１Ａの後ろに設置される。ジェットルームでは、必要に応じて捨耳形成装置７２が緯入れ末端側で綜絖枠７１Ａの後ろに設置される。
【００２７】
第１の実施の形態では以下の効果が得られる。
（１-1）補強バー１２と支持バー１９との間における織機の前後方向の相対位置、支持レール１３と支持バー１９との間における織機の前後方向の相対位置、及びもじり用駆動伝達機構５１の中間歯車５２と駆動軸４５上の被動歯車４７との間における織機の前後方向の噛合位置が変更できる。又、補強バー１２と支持バー２０の間における織機の前後方向の相対位置、支持レール１４と支持バー２０との間における織機の前後方向の相対位置、及びもじり用駆動伝達機構５７の中間歯車５８と駆動軸４６上の被動歯車４９との間における織機の前後方向の噛合位置が変更できる。従って、支持バー１９の織機の前後方向の設置位置と、支持バー２０の織機の前後方向の設置位置とは、互いに独立して変更できる。即ち、支持バー１９に装着された緯入れ始端側のもじり耳形成装置３７と、支持バー２０に装着された緯入れ末端側のもじり耳形成装置３８とは、織機の前後方向における設置位置に関して互いに制約を受けない。従って、緯入れ末端側のもじり耳形成装置３８と綜絖枠７１Ａとの間に捨耳形成装置７２のような介在物がある場合にも、緯入れ始端側のもじり耳形成装置３７と綜絖枠７１Ａとの間に余分なスペースが存在しない所までもじり耳形成装置３７を綜絖枠７１Ａに近づけることができる。
【００２８】
（１-2）緯入れ末端側のもじり耳形成装置３８は、織幅変更に応じて支持バー２０に沿って織幅方向に位置調整される。織幅変更に応じてもじり耳形成装置３８を織幅方向に位置調整可能に支持する支持バー２０を緯入れ始端側のもじり耳形成装置３７を支持する支持バー１９と別体にして織機の前後方向に位置変更可能とした構成は、もじり耳形成装置３７とは独立にもじり耳形成装置３８を織幅方向及び織機の前後方向へそれぞれ設置位置調整可能とする上で簡便である。
【００２９】
（１-3）補強バー１２は、支持バー１９，２０を強固に支持する土台として最適である。織機の前後方向における支持バー１９の配置位置を調整する基台２１及び支持ブラケット２７は、補強バー１２と支持バー１９との間に介在されている。織機の前後方向における支持バー２０の配置位置を調整する基台２２及び支持ブラケット２８は、補強バー１２と支持バー２０との間に介在されている。織機の前後方向におけるもじり耳形成装置３７，３８の設置位置を補強バー１２上で互いに独立して調整可能とした構成は、支持バー１９，２０を確固に支持できる上に簡便である。
【００３０】
（１-4）捨耳形成装置７２を緯入れ末端側に設置した場合、緯入れ始端側のもじり耳形成装置３７と緯入れ末端側のもじり耳形成装置３８とにおける織機の前後方向の距離（図２にＬで示す）は概ね特定される。基台２１のねじ孔２１２，２１３間における織機の前後方向の距離及び基台２２のねじ孔２２２，２２３間における織機の前後方向の距離を距離Ｌ程度に設定しておけば、各もじり耳形成装置３７，３８の織機の前後方向における設置位置の調整作業が容易になる。
【００３１】
（１-5）経糸切断検出装置３５の枠パイプ３５１の振動抑制に支持バー２０を利用した構成は簡便である。
次に、図６（ａ），（ｂ）及び図７（ａ），（ｂ）の第２の実施の形態を説明する。第１の実施の形態と同じ構成部には同じ符号が付してある。
【００３２】
この実施の形態では、緯入れ始端側のもじり耳形成装置３７及び緯入れ末端側のもじり耳形成装置３８が単一の支持バー７３上に装着されている。支持バー７３は、織機の前後方向に配置位置調整可能にブラケット８４，８５を介して支持レール１３，１４に支持されている。ブラケット８４，８５は、ねじ８６，８７の締め付けによって支持レール１３，１４に取り付け位置調整可能に固定されている。
【００３３】
もじり耳形成装置３７は支持位置調整用ブラケット７４を介して支持バー７３に装着されている。緯入れ末端側のもじり耳形成装置３８も同様の支持位置調整用ブラケット７４Ａを介して支持バー７３に装着されている。もじり耳形成装置３７，３８を駆動する駆動軸４５，４６は、もじり耳形成装置３７，３８の取り付けブラケット３９，４０と、支持レール１３，１４に取り付け位置調整可能にねじ７７，７７Ａによって締め付け固定された位置調整用ブラケット７６，７６Ａとに支持されている。
【００３４】
支持バー７３の長手方向へ取り付け位置調整可能に嵌合された支持位置調整用ブラケット７４，７４Ａは、ねじ７５，７５Ａの締め付けによって支持バー７３に固定されている。支持位置調整用ブラケット７４，７４Ａには調整溝７４１及び調整孔７４２が形成されている。調整溝７４１及び調整孔７４２は織機の前後方向に沿っており、もじり耳形成装置３７，３８の取り付けブラケット３９，４０が織機の前後方向に位置変更可能に調整溝７４１に嵌入されている。調整溝７４１に嵌入された取り付けブラケット３９，４０の嵌入部位３９１，４０１にはねじ孔３９２，４０２が形成されており、ねじ孔３９２，４０２にはねじ７８，７８Ａが調整孔７４２を通して螺合されている。取り付けブラケット３９，４０は、ねじ７８，７８Ａの締め付けによって支持位置調整用ブラケット７４，７４Ａに固定される。
【００３５】
この実施の形態においても、緯入れ始端側のもじり耳形成装置３７及び緯入れ末端側のもじり耳形成装置は、織機の前後方向における設置位置に関して互いに制約を受けない。
【００３６】
次に、図８及び図９の第３の実施の形態を説明する。第１の実施の形態と同じ構成部には同じ符号が付してある。
この実施の形態では、支持バー２０が基台２１によって支持されており、支持バー１９が支持ブラケット７９を介して補強バー１２に支持されている。支持ブラケット７９は、補強バー１２をサイドフレーム１０に固定するためのねじ８０によって補強バー１２に締め付け固定されている。支持ブラケット７９の先端部には位置調整孔７９１が形成されており、支持バー１９にはねじ８１が位置調整孔７９１を通して螺合されている。支持バー１９は、ねじ８１の締め付けによって支持ブラケット７９に固定されている。位置調整孔７９１は織機の前後方向に長く、支持バー１９は支持ブラケット７９に対して織機の前後方向に取り付け位置調整可能である。
【００３７】
この実施の形態においても、緯入れ始端側のもじり耳形成装置３７及び緯入れ末端側のもじり耳形成装置３８は、織機の前後方向における設置位置に関して互いに制約を受けない。
【００３８】
本発明では以下のような実施の形態も可能である。
（１）緯入れ始端側のもじり耳形成装置及び緯入れ末端側のもじり耳形成装置を補強バー１２上でのみ織機の前後方向に設置位置調整可能で支持すること。
（２）緯入れ始端側のもじり耳形成装置及び緯入れ末端側のもじり耳形成装置を単一の支持バー上に支持し、前記支持バーを織機の前後方向に配置位置変更可能、かつ織幅方向の線に対して傾け変更可能とすること。
（３）特開平１１−１８３８号公報に開示されるような、ボビンホルダを回転させずに糸ガイドのみを回転させるもじり耳形成装置に本発明を適用すること。
【００３９】
前記した実施の形態から把握できる請求項記載以外の発明について以下にその効果と共に記載する。
（１）請求項１において、前記第１の支持手段は、単一の支持バーに取り付けられた支持位置調整用ブラケットを含み、前記第２の支持手段は、前記支持バーに取り付けられた支持位置調整用ブラケットを含む織機におけるもじり耳形成装置の支持装置。
【００４０】
緯入れ始端側のもじり耳形成装置及び緯入れ末端側のもじり耳形成装置は、織機の前後方向における設置位置に関して互いに制約を受けない。
【００４１】
【発明の効果】
以上詳述したように本発明では、緯入れ始端側のもじり耳形成装置と緯入れ末端側のもじり耳形成装置とを互いに独立して織機の前後方向に設置位置調整可能としたので、緯入れ末端側のもじり耳形成装置と綜絖枠との間に捨耳形成装置のような介在物がある場合にも、緯入れ始端側のもじり耳形成装置と綜絖枠との間に余分なスペースが存在しない所まで緯入れ始端側のもじり耳形成装置を綜絖枠側に近づけられるという優れた効果を奏する。
【図面の簡単な説明】
【図１】第１の実施の形態を示す一部省略正面図。
【図２】一部省略平面図。
【図３】図１のＡ−Ａ線拡大断面図。
【図４】図１のＢ−Ｂ線拡大断面図。
【図５】経糸切断検出装置３５を示す斜視図。
【図６】（ａ）は第２の実施の形態を示す一部破断要部拡大正面図。（ｂ）は図６（ａ）のＣ−Ｃ線断面図。
【図７】（ａ）は一部破断要部拡大正面図。（ｂ）は図７（ａ）のＤ−Ｄ線断面図。
【図８】第３の実施の形態を示す一部省略正面図。
【図９】図８のＥ−Ｅ線断面図。
【符号の説明】
１３…第１の支持レール。１４…第２の支持レール。１５…第２の止着手段を構成する位置調整用ブラケット。１６…第４の止着手段を構成する位置調整用ブラケット。１７…第２の止着手段を構成するねじ。１８…第４の止着手段を構成するねじ。１９…第１の支持バー。２０…第２の支持バー。２１…第１の基台。２１２，２１３…第１の止着手段を構成するねじ孔。２２…第２の基台。２２２，２２３…第２の止着手段を構成するねじ孔。２７…第１の支持ブラケット。２８…第２の支持ブラケット。２７１…第１の止着手段を構成する支持位置調整用長孔。２８１…第２の止着手段を構成する支持位置調整用長孔。２９…第１の止着手段を構成するねじ。３０…第３の止着手段を構成するねじ。３７…緯入れ始端側のもじり耳形成装置。３８…緯入れ末端側のもじり耳形成装置。４４…公転機構を構成する支持歯車。４５…第１の駆動軸。４６…第２の駆動軸。６７，６８…ボビンホルダ。
【図１】
0004051839.tif 000002
【図２】
0004051839.tif 000003
【図３】
0004051839.tif 000004
【図４】
0004051839.tif 000005
【図５】
0004051839.tif 000006
【図６】
0004051839.tif 000007
【図７】
0004051839.tif 000008
【図８】
0004051839.tif 000009
【図９】
0004051839.tif 000010